(57)【要約】      （修正有）【課題】手術用又は歯科用ハンドピース内への異物の侵入を除去する。【解決手段】歯科用ハンドピース１に装着されるように設計された遠心偏向装置であって、ハンドピース１の駆動シャフト８に直接又はツール・シャンク６を介して回転式に結合されたリング１０を含む。リングが、ハンドピースの本体２２の前端に固定されかつリングと共に排出チャンバ１１を画定するスリーブ１２によって覆われる。排出チャンバは、ハンドピースの後方領域と連通する入口と、外部環境と連通する出口とを有し、リングは、排出チャンバの出口における第１の直径Ｄ１と、排出チャンバの入口における第２の直径Ｄ２とを有し、第１の直径は、第２の直径より大きい。【選択図】図１
2011143254.tif 000002
【特許請求の範囲】
【請求項１】
手術によって生じる異物が侵入するのを防ぐために手術用又は歯科用ハンドピース（１）に装着されるように設計された遠心偏向装置にあって、
前記ハンドピース（１）の駆動シャフト（８）にツール・シャンク（６）を介して回転式に結合されたリング（１０）を有し、
前記リング（１０）が、前記ハンドピース（１）の前記本体（２）の前端に固定されかつ前記リング（１０）と共に排出チャンバ（１１）を画定するスリーブ（１２）によって覆われており、
前記排出チャンバ（１１）が、前記ハンドピース（１）の後方領域（３３）と連通する入口（３１）と、外部環境と連通する出口（３５）とを有し、
前記リング（１０）が、前記排出チャンバ（１１）の前記出口（３５）における第１の直径（Ｄ１）と、前記排出チャンバ（１１）の前記入口（３１）における第２の直径（Ｄ４）とを有し、前記リング（１０）の前記第１の直径（Ｄ１）が、前記リング（１０）の前記第２の直径（Ｄ４）より大きくされている、
遠心偏向装置であって、
前記スリーブ（１２）が、前記ハンドピース（１）の前記本体（２）に取り外し可能に取り付けられ、前記リング（１０）が、前記スリーブ（１２）に対して自由に回転するが軸方向にロックされている
ことを特徴とする遠心偏向装置。
【請求項２】
前記排出チャンバ（１１；１１”）の前記断面（６２）と前記ツールの対称軸（Ｘ−Ｘ）が、９０°の値を中心とした範囲のいずれかの側に広がるゼロでない角度をなし、この角度は、前記排出チャンバ（１１；１１”）の前記断面が、前記ツールの前記対称軸（Ｘ−Ｘ）と垂直である位置に対応する、請求項１に記載の装置。
【請求項３】
前記回転リング（１０；１０”）と前記固定スリーブ（１２）の対向壁が、実質的に互いに平行に延在する、請求項２に記載の装置。
【請求項４】
前記リング（１０；１０”）が、円錐部分を有する回転部分であり、前記回転部分の前記第１の直径（Ｄ１；Ｄ１”）が、前記ハンドピース（１）の前記前端から前記後端にいくほど減少する、請求項３に記載の装置。
【請求項５】
前記リング（１０；１０”）の前記円錐部分が、前記リング（１０；１０”）を前記スリーブ（１２；１２”）に対して軸方向にロックするための後側部分によって前記ハンドピース（１）の前記後端の方に延在され、前記後側部分の前記最大直径（Ｄ２；Ｄ２”）が、前記スリーブ（１２；１２”）の前記円錐部分の前記最大直径（Ｄ１；Ｄ１”）より小さい、請求項４に記載の装置。
【請求項６】
前記リング（１０；１０”）の前記後側部分が、実質的に円筒形状のものである、請求項５に記載の装置。
【請求項７】
前記リング（１０）が、前記ツール・シャンク（６）を中心としたフランジ（３２）と、前記ハンドピース（１）の前記後端にいくほど減少する直径を有し、前記フランジ（３２）が、前記ツール・シャンク（６）のまわりに接線方向に延在しかつ肩部（４０）においてその前記自由端で終端する複数のアーム（３８）によって延在し、前記フランジ（３２）の前記最大直径（Ｄ１）が、前記肩部（４０）の前記最大直径（Ｄ２）より大きい、請求項６に記載の装置。
【請求項８】
前記肩部（４０）が、前記フランジ（３２）と共に、前記肩部（４０）の前記最大直径（Ｄ２）より小さい直径（Ｄ３）を有する環状溝（４６）を画定する、請求項７に記載の装置。
【請求項９】
前記ハンドピース（１）の前記前部から前記後部まで、前記肩部（４０）は、切頭部分（４４）よって拡張された円筒部分（４２）を有し、前記円筒部分（４２）の直径は、前記ハンドピース（１）の後端にいくほど減少する、請求項８に記載の装置。
【請求項１０】
前記リング（１０）の前記内径が、前記ツール・シャンク（６）の前記外径より小さい、請求項９に記載の装置。
【請求項１１】
ハンドピース（１）の前記後端側に、前記スリーブ（１２）は、前記スリーブを前記ハンドピース（１）の前記本体（２）に弾性的に固定するための手段を有し、前記ハンドピース（１）の前端側に、前記リングが自由に回転するように前記リング（１０）を取り付けるための手段とを有する、請求項１０に記載の装置。
【請求項１２】
前記スリーブ（１２）を前記ハンドピース（１）の前記本体（２）に固定するために、前記スリーブは、複数の規則的に離間されたアーム（１８）を有し、前記アーム（１８）は、その前記ハンドピース（１）の前記本体（２）に向いた面（２０）に、前記ハンドピース（１）の前記本体（２）上に設けられた反対側の放射状溝（２４）と係合するビード（２２）を有する、請求項１１に記載の装置。
【請求項１３】
前記ハンドピース（１）の前記前端側に、前記スリーブ（１２）が、前記環状溝（４６）と弾性的に係合する環状内側肩部（５０）を有する、請求項１２に記載の装置。
【請求項１４】
手術によって生じる異物が侵入するのを防ぐために手術用又は歯科用ハンドピース（１）に装着されるように設計された遠心偏向装置にあって、
前記ハンドピース（１）の駆動シャフト（８）に直接又はツール・シャンク（６）を介して回転式に結合されたリング（１０”）を有し、
前記リング（１０”）が、前記ハンドピース（１）の前記本体（２）の前記前端に固定されかつ前記リング（１０”）と共に前記排出チャンバ（１１”）を画定するスリーブ（１２”）によって覆われ、
前記排出チャンバ（１１”）が、前記ハンドピース（１）の後方領域（３３）と連通する入口（３１）と、外部環境と連通する出口（３５）とを有し、
前記リング（１０”）が、前記排出チャンバ（１１”）の出口（３５）における第１の直径（Ｄ１”）と前記排出チャンバ（１１”）の前記入口（３１）における第２の直径（Ｄ４”）とを有し、前記リング（１０”）の前記第１の直径（Ｄ１”）が、前記リング（１０”）の前記第２の直径（Ｄ４”）より大きく、前記スリーブ（１２”）が、前記ハンドピース（１）の前記本体（２）と一体的にされている
遠心偏向装置であって、
前記リング（１０”）が、前記ハンドピース（１）の前記前端側に、ほぼ切頭形状のフランジ（３２”）を有し、前記フランジ（３２”）の直径（Ｄ１”）は、前記ハンドピース（１）の前記後端にいくほど減少し、前記フランジ（３２”）は、前記スリーブ（５２）によって前記ハンドピース（１）の前記後方領域の方に延在され、前記フランジ（３２”）の外径（Ｄ２”）は、前記フランジ（３２”）の最大直径（Ｄ１”）より小さく、前記リング（１０”）が、結合部分（５４）によって前記ハンドピース（１）の前記駆動シャフト（８）に回転式に結合されている
ことを特徴とする遠心偏向装置。
【請求項１５】
前記結合部分（５４）が、中間切頭部分（６０）によって互いに接続された前側円筒部分（５６）と後側円筒部分（５８）を有し、前記結合部分（５４）が、前記後側円筒部分（５８）によって前記駆動シャフト（８）と、前記前側円筒部分（５６）によって前記リング（１０”）の前記スリーブ（５２）と係合された、請求項１４に記載の装置。
【請求項１６】
前記結合部分（５４）が、前記リング（１０”）と一体で作成された、請求項１５に記載の装置。
【請求項１７】
前記リング（１０；１０”）と前記スリーブ（１２）を作成するために使用される材料が、機械加工又は射出成形されたプラスチック、金属又はセラミック材料、更にはこれらの組み合わせである、請求項１〜１６のいずれか１項に記載の装置。
【請求項１８】
前記スリーブ（１２）が、プラスチック材料で作成されたとき、前記プラスチックには、前記スリーブ（１２）の加熱を目で見えるようにするために温度で変化する色を有する感熱色素を混合してもよい、請求項１７に記載の装置。
【請求項１９】
前記スリーブ（１２）が、金属又はセラミック材料で作成されたとき、前記スリーブ（１２）は感熱材料層で被覆される、請求項１８に記載の装置。
【発明の詳細な説明】
【技術分野】
【０００１】
本発明は、手術により生じる異物を除去するために手術用又は歯科用ハンドピースに取り付けられるように設計された遠心偏向装置に関する。より具体的には、本発明は、手術により生じる異物がハンドピースに侵入するのを防ぐリングを有し、そのリングがハンドピースに装着されたタイプの装置に関する。
【背景技術】
【０００２】
智歯の除去などの手術では、必然的に、骨片や歯牙破片などの砕片、血液又は唾液分泌物が生じる。医者は行っている作業がよく見えるように、この砕片を除去して手術野をクリアにしておくことが絶対に必要である。また、砕片は機器を破損させまた汚染しやすいので、破片がハンドピースに侵入するのを防止しなければならない。
【０００３】
異物が歯科用ハンドピースの後方領域に侵入するのを防止する装置は、欧州特許公開第０４７１９１６Ａ１号で既知である。このハンドピースは、本体、把持部及びノーズ部を有する。ノーズ部は、主部材と、ノーズ部の主部材に例えばねじによって脱着式に取り付けられたキャップを有する。キャップは、等角度で離間された４つの半径方向の排出口を有する。駆動シャフトと連係して歯科用ツールを収容し固定するスリーブが、駆動シャフトの最先端に放射状に取り付けられる。スリーブの外周には、別の回転部材を構成するエンド・キャップがねじ留めされる。エンド・キャップは、歯科用ツールと接触する内側フランジと、半径方向外方に延在する外側フランジとを有する。エンド・キャップの外周とノーズ・キャップとの間には、一端で歯科用ツールを挿入するための穴と連通し、他端で機器の後方領域に配置された軸受の前面と連通する環状チャンバが画定される。
【０００４】
以上簡潔に述べた、異物がハンドピースに侵入するのを防止する装置は、以下のように動作する。駆動シャフトが回転しているとき、スリーブとエンド・キャップが一緒に回転してこれらの要素の周囲に空気の流れに引き起こす。エンド・キャップの回転半径がスリーブの回転半径より大きい場合、エンド・キャップの周速度はスリーブの周速度より速い。特に、外側フランジの回転半径が最大であり、したがって外側フランジの外周囲の空気流速度が最も速いので、外側フランジの周囲の空気圧は、ハンドピースの最先端の近くの方が低くなる。これにより圧力勾配が作り出され、圧力勾配は、歯科用ツール挿入口からハンドピースの内側になるほど低いものになる。手術の際、処置している歯からの砕片などの異物は、歯科用ツール挿入口からハンドピースに侵入し、圧力勾配作用によってハンドピースの内部に吸い込まれる。この砕片は、圧力が最も低い外側フランジに達するまで、圧力が低い環状チャンバ内で動き回る。次に、砕片は、エンド・キャップの遠心力作用によって排出口から外部に放出される。このようにして、異物が機器の後方領域に侵入するのが防止される。
【０００５】
前述の欧州特許公開第０４７１９１６Ａ１号に開示された装置の場合、空気流圧力が低いほど多くの空気流がハンドピースに侵入することは明らかである。したがって、以上のことから、ハンドピースの後方領域に配置された軸受の前面が、エンド・キャップの外側フランジによって適切に保護され、この外側フランジが、異物を排出口の方に偏向させ、異物が軸受の前面の方に進むのを防止する障害物となると考えられる。しかしながら、前述の装置は、砕片がハンドピースに侵入するのを完全には防止しない。実際には、砕片は、歯科用ツール挿入口からハンドピースに侵入し、ノーズ・キャップとエンド・キャップの外周との間に画定された環状チャンバ内で動き回る。これにより、砕片は、必然的にこれらの部材を汚染し、更に駆動シャフトにも達しハンドピースの作業を変化させることがある。したがって、２人の連続する患者の間に、ノーズ部全体をハンドピース、即ちノーズ・キャップ、エンド・キャップ及びスリーブから取り外して、これらの部材を清浄にしハンドピースを完全に殺菌できるようにしなければならないが、これは困難でかつ時間がかかる。
【先行技術文献】
【特許文献】
【０００６】
【特許文献１】欧州特許公開第０４７１９１６Ａ１号
【発明の概要】
【発明が解決しようとする課題】
【０００７】
したがって、本発明の目的は、実際に異物がハンドピースの内部に侵入しないようにする遠心偏向装置を手術用又は歯科用ハンドピースに提供することによって、前述の欠点だけでなく他の欠点も克服することである。
【課題を解決するための手段】
【０００８】
したがって、本発明は、手術により生じる如何なる異物も前記ハンドピースに侵入するのを防ぐために手術用又は歯科用ハンドピースに取り付けられるように設計された遠心偏向装置に関し、この遠心偏向装置は、ハンドピースの駆動シャフトに直接又はツール・シャンクを介して回転式に結合されたリングを有し、この装置は、リングが、ハンドピース本体の前端に固定されかつリングと共に排出チャンバを画定するスリーブによって覆われ、この排出チャンバは、ハンドピースの後方領域と連通する入口と、外部環境と連通する出口とを有し、リングは、排出チャンバ出口における第１の直径と、排出チャンバ入口における第２の直径とを有し、第１のリング直径が、第２のリング直径より大きいことを特徴とする。
【０００９】
これらの特徴により、本発明は、リングを有する遠心偏向装置を提供し、そのリングはハンドピース駆動シャフトによって直接又はツール・シャンクを介して駆動されるとともに、リングと、ハンドピース本体の前端に固定式に取り付けられたスリーブ間にある排出チャンバ内へ流れる空気流を引き起こす。更に、排出チャンバ出口における第１のリング直径が、排出チャンバ入口における第２のリング直径より大きい場合、排出チャンバ出口におけるリングの周速度が、排出チャンバ入口におけるリングの周速度より速い。したがって、リングの最大直径を有する部分の外周の空気流速度が最も速く、その結果、リングの最大直径を有する部分のまわりの空気圧は、リングの最小直径を有する部分における圧力より低くなる。したがって、排出チャンバ内に、ハンドピースの内側から外側になるほど減少する圧力勾配が作り出される。この圧力勾配の作用によって、空気流は、ハンドピースから放出され、砕片が手術野から機器に侵入するのを防ぐ。砕片がハンドピース内部に吸い上げられる先行技術と異なり、本発明は、ハンドピースから放出される空気流を使用することによって砕片がハンドピースの内部に侵入するのを防ぐことを教示する。砕片がハンドピースに侵入しその機構に絡む危険性がなくなる。更に、本発明によるリングが装着されたハンドピースの保守と殺菌は大幅に容易になる。
【００１０】
リングとスリーブが取り外し可能な場合、本発明は、いかなる変更も必要とせずに付加機能を提供することによってより既存のハンドピースに高い基準を達成させることができ、有利である。
【００１１】
本発明の相補的な特徴によれば、排出チャンバの断面とツールの対称軸は、９０°の値を中心とする範囲のいずれかの側に広がるゼロでない角度をなし、この角度は、排出チャンバの断面がツールの対称軸と垂直な位置に相当する。
【００１２】
本発明の別の特徴によれば、回転リングと固定スリーブの対向壁は、実質的に互いに平行に延在する。
【図面の簡単な説明】
【００１３】
本発明の他の特徴及び利点は、本発明による遠心偏向装置の一実施形態の以下の詳細な説明からより明らかになり、この例は、添付図面に関して非限定的な例としてのみ提供される。
【００１４】
【図１】本発明による遠心偏向装置が装着されたハンドピースの縦断面図である。
【図２】遠心偏向リングと共に、内部に圧力勾配が作り出される実質的に環形状の排出チャンバを画定するスリーブの斜視図である。
【図３】図２のスリーブの縦断面である。
【図４】遠心偏向リングの斜視図である。
【図５】図１に示したハンドピースの前側部分の拡大図である。
【図６】ツール・シャンクに打ち込まれることによって固定されるように設計されたリングを示す、図５と類似の図である。
【図７】本発明による偏向装置の変形物が装着されたハンドピースの縦断面図である。
【図８】ツール・シャンクに打ち込まれたリングの概略図であり、前記リングは、ハンドピースの前端からハンドピースの後端になるほど増大するテーパ角を有する。
【図９】ツール・シャンクに打ち込まれたリングの概略図であり、前記リングは、ツール・シャンクの縦対称軸と垂直に延在する。
【発明を実施するための形態】
【００１５】
本発明は、如何なる異物もハンドピースに侵入するのを防ぐ機能を有するリングを備えた遠心偏向装置を手術用又は歯科用ハンドピースに装着することにある一般的創意によるものである。したがって、ハンドピース駆動シャフトと同時に回転するリングが、前記ハンドピースの内側から外側へいくほど低下する圧力勾配をハンドピース内部に作り出す。この圧力勾配は、ハンドピースの前部から放出される空気流を引き起こす。この空気流が、異物（歯砕片、骨砕片、血液分泌物又は唾液）を作業領域から追い出す。異物を排除しその結果、異物がハンドピースに侵入するのを防ぐことによって、機器を破損させる危険性がなくなり、洗浄及び殺菌作業がかなり容易になる。
【００１６】
以下の説明では、本発明による遠心偏向装置の種々の部材の空間的向きは、ハンドピースの前と後に対して識別され、ハンドピースの前端は、ツール・シャンク挿入口の側にあり、ハンドピースの後端は、ユーザがハンドピースを手で保持する側にある。
【００１７】
図１は、本発明による異物偏向装置が装着されたハンドピースの部分縦断面である。全体を参照数字１によって示されたこのハンドピースは、ツール・シャンク６をハンドピース１の駆動シャフト８にしっかりと結合するために本体２内に収容されたクランプ４を有する。
【００１８】
本発明による偏向装置は、回転部品でありかつハンドピース１の前端から後端まで前側能動部分１０ａを含むリング１０を含み、リング１０は、前側能動部分１０ａが実質的に環形状の排出チャンバ１１を画定するスリーブ１２によって覆われる。リング１０は、更に、ツール・シャンク６上の軸方向ロックと摩擦取り付けの両方に役立つ後側部分１０ｂを有する。したがって、リング１０は、ツール・シャンク６と同時かつ同じ速度で回転する。
【００１９】
後で詳細に分かるように、リング１０は、スリーブ１２に対して自由に回転することができるが前記スリーブ１２によって軸方向にロックされる。スリーブ１２は、実質的に円錐形の部分１６によりハンドピース１の前端の方に拡張された円筒部分１４を有する、リブ形状である（図２を参照）。スリーブ１２は、ハンドピース１の本体２上で軸方向にロックされる。したがって、スリーブ１２は、複数のアーム１８（示した例では４個）によってハンドピース１の後端の方に延在し、これらのアーム１８は、ハンドピース１の本体２の接線方向に延在し、ハンドピース１の本体２に向いた面２０に、ハンドピース１の本体２の外側面に設けられた反対側の放射状溝２４と係合するビード２２を有する（図１と図３を参照）。
【００２０】
図１を検討すると分かるように、スリーブ１２は、ハンドピース１の本体２と外側リング２６の間に同心で配置され、外側リング２６は、ステンレス鋼コンジット２８を支持する。このコンジット２８は、フレキシブル・チューブ（図示せず）を介して、ツールの作業領域を滑らかにし冷却するために使用される生理的食塩水の供給源に接続されるように設計されている。外側リング２６は、スプリング・ワイヤ３０によってスリーブ１２上にロックされる。
【００２１】
排出チャンバ１１（図５を参照）は、ハンドピース１の後方領域３３と連通する入口３１と、外部環境と連通する出口３５とを有する。排出チャンバ１１の出口３５で、リング１０の前側能動部分１０ａは、Ｄ１で表された第１の直径を有し、中間部分によって、Ｄ３で示された最大直径を有する後方部分１０ｂ（直径Ｄ２を有する）に接続される。より具体的には、リング１０は、ツール・シャンク６を中心とするフランジ３２を含み、このフランジ３２は、ハンドピース１の後端の方向に減少する直径を有する。このフランジ３２は、第１の直径Ｄ１より小さい第２の直径Ｄ４を有する切頭部分３４を含む円錐形状を有し、排出チャンバ１１の入口３１にあり、中間部分の直径Ｄ３と等しい。更に、ハンドピース１の前端側に、フランジ３２は環状面３６を有する。
【００２２】
回転リング１０と固定スリーブ１２の対向壁は、円錐形フランジ３２の第１の直径Ｄ１と第２の直径Ｄ４の差に対応する短い距離で互いに実質的に平行に延在し、その結果、排出チャンバ１１は、実質的に一定の幅を有する。また、フランジ３２の能動部分１０ａが、固定スリーブ１２の前端まで延在することに注意されたい。
【００２３】
本発明によれば、フランジ３２は、複数のフレキシブル・アーム３８（この場合は６個）によってハンドピース１の後端の方向に延在し、フレキシブル・アーム３８は、ツール・シャンク６のまわりに接線方向に延在し、肩部４０の自由端で終わる（図４を参照）。これらのフレキシブル・アーム３８の役割の１つは、リング１０をツール・シャンク６上に摩擦ばめできるようにすることである。実際には、リング１０の内径はツール・シャンク６の外径より小さい。したがって、弾性変形させることによって、アーム３８は、リング１０をツール・シャンク６と係合させることを可能にする。
【００２４】
ツール・シャンク６にリング１０を取り付けるために、前記リングは、ハンドピース１の前端側と後端側で、ハンドピース１の端へいくほど大きい直径を有する２つの切頭開口４８ａ及び４８ｂへと出る貫通穴４８を画定する。
【００２５】
フランジ３２の最大直径Ｄ１は、肩部４０の最大直径Ｄ２より大きい。これらの肩部４０は、また、ハンドピース１の前から後ろに、ハンドピース１の後端へいくほど小さい直径を有する切頭部分４４によって拡張された円筒部分４２を有する。
【００２６】
肩部４０は、フランジ３２と共に、肩部４０の最小直径より小さい直径Ｄ３を有する環状溝４６を画定する。実際には、フレキシブル・アーム３８のもう１つの役割は、リング１０をスリーブ１２上に軸方向にロックできるようにすることである。このため、フレキシブル・アーム３８は、リング１０を軸方向にロックする手段と協力し、この手段は、本発明の一実施形態では、ハンドピース１の前端側でスリーブ１２に設けられた環状内側肩部５０の形をとる。より具体的には、リング１０は、スリーブ１２の円錐形部分１６の側面に挿入される。アーム３８が、その肩部４０を介して環状内側肩部５０に当接すると、アーム３８は、互いに離れることによって弾性的に変形して、前記環状内側肩部５０を通す。この変形の動きは、ハンドピース１の後端へいくほど小さくなる直径を有しかつ環状内側肩部５０が上を摺動する切頭部分４４の存在によってよって容易になる。スリーブ１２の環状内側肩部５０が、アーム３８の肩部４０を通過すると、肩部４０はその遊休位置に戻り、環状内側肩部５０は環状溝４６に嵌る。これにより、リング１０は、スリーブ１２に対して軸方向にロックされるが、スリーブ１２に対して自由に回転することができる。次に、スリーブ１２とリング１０によって構成されたユニットは、ビード２２が半径方向の溝２４と係合するまでハンドピース１の本体２の上を摺動する。最後に、ツール・シャンク６は、シャンク６がクランプ４を介して駆動シャフト８にしっかりと結合されるまで、リング１０によって画定されたスルーホール４８に通される。それにより、リング１０は、ツール・シャンク６に摩擦結合され、その結果、ハンドピース１の駆動シャフト８は回転したときにツール・シャンク６とリング１０を同時に駆動する。これにより、リング１０は、ツール・シャンク６と同じ速度で回転する。ハンドピース１の駆動シャフト８とツール・シャンク６間の厳密な結合は、本発明の一部を構成せず、当業者は、そのような結合に使用される手段によく精通していることに注意されよう。したがって、そのような手段は、ここでは説明されない。
【００２７】
既に前述したように、リング１０は、スリーブ１２に取り付けられ、スリーブ１２自体は、ハンドピース１の本体２に取り外し可能に取り付けられている。このために、ハンドピース１の後端側に、スリーブ１２は、ハンドピース１の本体２に弾性的に固定するための手段を有し、ハンドピース１の前端側に、前記リングが自由に回転するようにリング１０を取り付けるための手段を有する。スリーブ１２をハンドピース１の本体２に弾性的に結合する手段は、前述のアーム１８によって構成され、アーム１８は、それらのビード２２を介して放射状の溝２４と係合する。リング１０が自由に回転するようにリング１０を取り付ける手段は、ハンドピース１の前端側にスリーブ１２上に設けられた環状内側肩部５０を有する。
【００２８】
変形として、図６は、前述のリング１０と類似しかつ肩部４０が省略された点だけが異なるリング１０’を示す。このリング１０’は、ツール・シャンク６に押し付けられることによって固定式に取り付けられるように設計される。この点において、ツール・シャンク６の外径に対してリング１０’の内径を調節して前記リングをツール・シャンク６に押し付けるだけでよい。
【００２９】
本発明による偏向装置は、以下のように動作する。前述のように、リング１０は、ツール・シャンク６と同じ速度で回転するように駆動される。これにより、排出チャンバ１１内に空気流が作り出される。排出チャンバ１１の出口３５におけるフランジ３２の前方部分の直径Ｄ１は、排出チャンバ１１の入口３１におけるフランジ３２の後方部分の直径Ｄ４より大きい。したがって、リング１０がツール・シャンク６と共に回転するとき、フランジ３２の周速度は、その後方部分より前方部分の方が速い。したがって、フランジ３２の前方部分の外周囲の空気流速度は、フランジ３２の後方部分の外周囲の空気流速度より速い。したがって、フランジ３２の前方部分のまわりの空気圧は、フランジ３２の後方部分の圧力より低い。したがって、ハンドピース１の排出チャンバ１１内部に、入口３１と出口３５の間で、肩部４０の領域からハンドピース１の前端に配置されたフランジ３２の領域に向かって減少する圧力勾配が作成される。この圧力勾配の作用により、ハンドピース１から排出チャンバ１１の出口３５を通って排出される空気流であって、砕片を手術野からハンドピースの前部を通って放出する空気流が成される。したがって、本発明による遠心偏向装置により、手術野内にある異物はハンドピースに全く侵入しない。ハンドピース機構を破損させる危険性がなくなり、洗浄及び殺菌操作が大幅に単純化される。
【００３０】
リング１０とスリーブ１２を作成するために使用される材料は、機械加工又は射出成形されたプラスチック、金属、セラミック又はこれらの様々な材料の組み合わせでよい。スリーブ１２がプラスチック材料で作成される場合、プラスチックには、スリーブ１２の加熱が目で見えるようにするために温度で変化する感熱色素を混ぜてもよい。警告を受けた医者は、スリーブが冷却しその元の色に戻るのに必要な時間だけ待った後で、患者の口に機器を挿入することになる。これにより、患者の口を火傷させる危険性がなくなる。スリーブ１２が、例えば金属又はセラミックで作成される場合は、プラスチック材料に埋め込まれた感熱色素と同じ役割をする感熱材料層をスリーブ１２に付着させることができる。
【００３１】
図７は、本発明による偏向装置の別の変形物が装着されたハンドピースの縦断面である。この実施形態によれば、スリーブ１２”は、ハンドピース１の本体２と一体で作成される。スリーブ１２”は、ツール・シャンク６に摺動可能に取り付けられたリング１０”を覆う。このリング１０”は、ハンドピース１の前端側に、ハンドピース１の後端へいくほど減少する直径Ｄ１”を有する概略切頭形状のフランジ３２”を有する。このフランジ３２”は、フランジ３２”の最大直径Ｄ１”より小さい外径Ｄ２”を有するスリーブ５２”によってハンドピース１の後方に拡張される。リング１０”とスリーブ１２”の対向壁は、実質的に互いに平行でかつ円錐リング１０”の最大直径Ｄ１”と最小直径Ｄ４”の差に対して短い距離で延在して、実質的に一定幅を有する環状チャンバ１１”を画定する。リング１０”は、介在する切頭部分６０によって互いに接続された円筒状の前側部分５６と後側部分５８を有する結合部分５４によってハンドピース１の駆動シャフト８に回転式に結合される。結合部分５４は、後側円筒部分５８によって駆動シャフト８に係合され、前側円筒部分５６によってリング１０”のスリーブ５２に係合される。したがって、結合部分５４の後側円筒部分５８の内径は、結合部分５４を、例えば打ち込むか溶接することによって駆動シャフト８に取り付けることができるように、駆動シャフト８の外径と実質的に等しい。結合部分５４の前側円筒部分５６の内径は、リング１０”と駆動シャフト８を互いにしっかりと結合できるように、リング１０”のスリーブ５２の外径より小さい。変形によれば、結合部分５４は、リング１０”と一体で作成されてもよく、組立体は、次に、ハンドピース１の駆動シャフト８に打ち込まれるか溶接される。
【００３２】
図５を検討すると分かるように、排出チャンバ１１の断面６２は、ツール・シャンク６の対称軸Ｘ−Ｘに対して約４５°の角度αをなす。換言すると、排出チャンバ１１の直径は、ハンドピースの前端から後端にいくほど減少する。しかしながら、他の角度値が想定されてもよい。したがって、図８に概略的に示したように、排出チャンバ１１の断面６２とツール・シャンク６の対称軸Ｘ−Ｘとがなす角度は、本発明による遠心偏向装置の動作原理を変更することなく、約１３５°でもよい。実際には、排出チャンバ１１の断面６２の直径が、ハンドピースの前端から後端にいくほど増大するが、排出チャンバ１１の出口３５におけるリング１０の第１の直径Ｄ１は常に、排出チャンバ１１の入口３１におけるリング１０の第２の直径Ｄ４より大きい。最後に、図９に示した最後の事例では、排出チャンバ１１の断面６２が、ツール・シャンク６の対称軸Ｘ−Ｘに垂直であることを想定することもできる。実際には、この事例でも、リング１０の第１の直径Ｄ１は、やはり排出チャンバ１１の出口点３５にあり、リング１０の第２の直径Ｄ４は、排出チャンバ１１の入口点３１にある。第２の直径Ｄ４が第１の直径Ｄ１より小さいので、排出チャンバ１１の入口点３１における空気速度は、前記排出チャンバ１１の出口点３５における空気速度より遅い。したがって、入口点３１における空気圧は、出口点３５における空気圧よりも高く、その結果、空気が排出チャンバから外側に向けて放出される作用により排出チャンバ１１内に圧力勾配が作り出される。
【符号の説明】
【００３３】
１  ハンドピース、２  本体、６  ツール・シャンク、８  駆動シャフト、
１０  リング、１０ａ  前側能動部分、１０ｂ  後側能動部分、
１１  排出チャンバ、１２  スリーブ、１４  円筒部分、１６  円錐形部分、
１８  アーム、２６  外側リング、２８  コンジット、３０  スプリング・ワイヤ、
３１  入口、３２  フランジ、３３  後方領域、３４  切頭部分、３５  出口、
３６  環状面。
【図１】
2011143254.tif 000003
【図２】
2011143254.tif 000004
【図３】
2011143254.tif 000005
【図４】
2011143254.tif 000006
【図５】
2011143254.tif 000007
【図６】
2011143254.tif 000008
【図７】
2011143254.tif 000009
【図８】
2011143254.tif 000010
【図９】
2011143254.tif 000011
【手続補正書】
【提出日】平成23年3月4日(2011.3.4)
【手続補正１】
【補正対象書類名】特許請求の範囲
【補正対象項目名】請求項５
【補正方法】変更
【補正の内容】
【請求項５】
前記リング（１０；１０”）の前記円錐部分が、前記リング（１０；１０”）を前記スリーブ（１２；１２”）に対して軸方向にロックするための後側部分によって前記ハンドピース（１）の前記後端の方に延在され、前記後側部分の前記最大直径（Ｄ２；Ｄ２”）が、前記リング（１０；１０”）の前記円錐部分の前記最大直径（Ｄ１；Ｄ１”）より小さい、請求項４に記載の装置。